(57)【要約】【課題】  撮影者と撮像装置との間の距離に応じて撮影情報のサイズを調整できる撮像装置等を提供すること。【解決手段】  撮像装置は、被写体の光学像を結像する光学系１１０と、前記被写体の撮像画像を生成する撮像素子１２０とを有する撮像部１１５と、撮像画像に関係する撮影情報を表示する表示部１９０と、撮影情報のサイズの調整処理を行う調整部１６５と、撮影者と撮像装置との間の距離を表す距離情報を取得する距離情報取得部１６６と、を含み、調整部１６５は、撮影者と撮像装置との間の距離が長くなるほど、撮影情報のサイズを大きくする調整処理を行う。【選択図】      図７
2011166496.tif 000002
【特許請求の範囲】
【請求項１】
被写体の光学像を結像する光学系と、前記被写体の撮像画像を生成する撮像素子とを有する撮像部と、
前記撮像画像に関係する撮影情報を表示する表示部と、
前記撮影情報のサイズの調整処理を行う調整部と、
撮影者と撮像装置との間の距離を表す距離情報を取得する距離情報取得部と、
を含み、
前記調整部は、
前記撮影者と撮像装置との間の距離が長くなるほど、前記撮影情報のサイズを大きくする調整処理を行うことを特徴とする撮像装置。
【請求項２】
請求項１において、
前記距離情報取得部は、
モーションセンサからのセンサ情報に基づいて、撮像装置の移動情報を取得し、取得した前記移動情報に基づいて前記距離情報を取得することを特徴とする撮像装置。
【請求項３】
請求項１において、
前記距離情報取得部は、
測距センサからのセンサ情報に基づいて、測距距離情報を取得し、取得した前記測距距離情報に基づいて前記距離情報を取得することを特徴とする撮像装置。
【請求項４】
請求項１乃至３のいずれかにおいて、
前記調整部は、
前記距離情報取得部が取得した前記距離情報に基づいて、前記撮像画像のズーム倍率の調整処理を行うことを特徴とする撮像装置。
【請求項５】
請求項４において、
前記調整部は、
前記距離情報取得部が取得した前記距離情報により表される距離が大きくなるほど、前記撮像画像のズーム倍率と前記撮影情報のサイズが連動して大きくなる調整処理を行うことを特徴とする撮像装置。
【請求項６】
請求項１乃至３のいずれかにおいて、
前記調整部は、
前記距離情報取得部が取得した前記距離情報に基づいて、前記表示部に表示される前記撮像画像のサイズの調整処理を行うことを特徴とする撮像装置。
【請求項７】
請求項１乃至６のいずれかにおいて、
前記表示部は、
前記撮影情報として、撮影者に対して撮影に関する情報を提示する文字、数字及びアイコンのうちの少なくとも１つの情報を表示することを特徴とする撮像装置。
【請求項８】
請求項１乃至７のいずれかにおいて、
前記撮影情報の最小サイズＭは、
撮影者から撮像装置までの距離情報をＴ、視力１．０を１とした視力係数をＳとした場合に、Ｍ＝０．００１５×Ｔ×Ｓの関係を満たし、
前記調整部は、
前記撮影情報のサイズが前記最小サイズＭ以上になる調整処理を行うことを特徴とする撮像装置。
【請求項９】
請求項１乃至８のいずれかにおいて、
前記表示部は、
前記撮影情報として、複数の撮影情報を表示し、
前記調整部は、
前記撮影情報のサイズに応じて、前記表示部に表示される前記複数の撮影情報の数を増減する処理を行うことを特徴とする撮像装置。
【請求項１０】
請求項９において、
前記調整部は、
前記複数の撮影情報のうち、撮影中において変化の少ない撮影情報から順に非表示として行く処理を行うことを特徴とする撮像装置。
【請求項１１】
請求項１０において、
前記表示部は、
前記撮影情報として、撮影中は自動で変更されない第１の撮影情報と、撮像装置により撮影中に自動で変更される第２の撮影情報を表示し、
前記調整部は、
前記第１の撮影情報を、前記第２の撮影情報よりも先に非表示にする処理を行うことを特徴とする撮像装置。
【請求項１２】
請求項１乃至１１のいずれかにおいて、
前記光学系を移動させて前記撮像素子上に結像される撮像画像を拡大又は縮小する光学ズーム制御を行う光学ズーム制御部と、
前記光学系によって得られた前記撮像画像に対して、画像処理により拡大又は縮小する電子ズーム処理を行い、電子ズーム画像を生成する電子ズーム処理部と、
を含み、
前記表示部は、
ズーム操作の開始を検出してから終了を検出するまでの間は、
前記電子ズーム処理部により得られた前記電子ズーム画像を表示するとともに、前記距離情報に基づいてサイズが変更される前記撮影情報を表示することを特徴とする撮像装置。
【請求項１３】
請求項１２において、
前記ズーム操作の終了を検出する検出部と、
前記検出部が前記ズーム操作の終了を検出したときのズーム倍率である終了ズーム倍率を取得するズーム倍率取得部と、
を含み、
前記光学ズーム制御部は、
前記検出部が前記ズーム操作の終了を検出した後に、前記終了ズーム倍率になるように前記光学ズーム制御を行い、
前記表示部は、
前記光学ズーム制御部による前記光学ズーム制御が終了した後に、前記電子ズーム画像から、前記光学ズーム制御が行われた前記撮像画像に、表示画像を切り替えて表示することを特徴とする撮像装置。
【請求項１４】
請求項１３において、
前記調整部は、
前記距離情報取得部が取得した前記距離情報により表される距離が大きくなるほど、前記電子ズーム画像のズーム倍率と前記撮影情報のサイズが連動して大きくなる調整処理を行うことを特徴とする撮像装置。
【発明の詳細な説明】
【技術分野】
【０００１】
本発明は、撮像装置等に関する。
【背景技術】
【０００２】
従来、モータによって駆動されるズーム撮影レンズを備えた撮像装置、又は電子ズーム（デジタルズーム）機能を備えた撮像装置においては、通常ズームレバースイッチと呼ばれる２接点スイッチを設けて、該スイッチを操作することによって所望のズーム倍率に調整するようになっている。
【０００３】
しかし、撮像装置の小型化に伴い、ズームレバースイッチのレイアウトが制限される。また所望のズーム倍率にズームレンズを駆動するまでズームレバースイッチを押さえ続けたりする必要がある。この場合、ズームレバースイッチによる所望のズーム倍率にズームレンズを駆動するズーミング動作が終了し、ズームレバースイッチから指を離してからレリーズボタンを押して撮影動作を行うので、撮影のタイミングを失うことがある。
【０００４】
そこで従来の撮像装置におけるこれらの問題点に鑑み簡単な操作でズーム調整ができる提案が、例えば特許文献１や特許文献２によって提案されている。
【０００５】
上記特許文献１、２は、撮影者が釦操作等をせず、撮像装置から撮影者までの距離を変化させるという直感的操作によって、ズーム操作を行なうという提案である。
【０００６】
また、特許文献３では、画面上に表示された画像等の情報のサイズを、機器を移動させることで変化させる提案がなされている。
【先行技術文献】
【特許文献】
【０００７】
【特許文献１】特開２００３−１９５１４５号公報
【特許文献２】特開２００６−２１１４５８号公報
【特許文献３】特開２００５−２５１７０号公報
【発明の概要】
【発明が解決しようとする課題】
【０００８】
上記特許文献１、２によって、操作自体が煩雑になるという問題点は解決できるが、撮影者から撮像装置の距離を離した時に表示画面が見にくくなることについては言及されていない。
【０００９】
また、上記特許文献３は、ユーザから機器までの距離の関係を考慮していないため一義的にサイズが決まってしまう。そのためユーザから機器までの距離が遠くなった場合に適当なサイズでなくなるおそれがあった。
【００１０】
本発明の幾つかの態様によれば、撮影者と撮像装置との間の距離に応じて撮影情報のサイズを調整できる撮像装置等を提供できる。
【００１１】
また、本発明の幾つかの態様によれば、ズーム操作において撮影者と撮像装置の距離が離れた時でも表示画面が見づらくならない機能を備えた撮像装置等を提供できる。
【課題を解決するための手段】
【００１２】
本発明の一態様は、被写体の光学像を結像する光学系と、前記被写体の撮像画像を生成する撮像素子とを有する撮像部と、前記撮像画像に関係する撮影情報を表示する表示部と、前記撮影情報のサイズの調整処理を行う調整部と、撮影者と撮像装置との間の距離を表す距離情報を取得する距離情報取得部と、を含み、前記調整部は、前記撮影者と撮像装置との間の距離が長くなるほど、前記撮影情報のサイズを大きくする調整処理を行う撮像装置に関係する。
【００１３】
本発明の一態様では、撮影者と撮像装置との間の距離が長くなるほど、撮影情報のサイズを大きくすることが可能になる。これにより、撮像装置が遠くなったとしても撮影情報の視認性を保つこと等ができる。
【００１４】
また、本発明の一態様では、前記距離情報取得部は、モーションセンサからのセンサ情報に基づいて、撮像装置の移動情報を取得し、取得した前記移動情報に基づいて前記距離情報を取得してもよい。
【００１５】
このようにすれば、モーションセンサを利用して距離情報を取得することが可能になる。
【００１６】
また、本発明の一態様では、前記距離情報取得部は、測距センサからのセンサ情報に基づいて、測距距離情報を取得し、取得した前記測距距離情報に基づいて前記距離情報を取得してもよい。
【００１７】
このようにすれば、測距センサを利用して距離情報を取得することが可能になる。
【００１８】
また、本発明の一態様では、前記調整部は、前記距離情報取得部が取得した前記距離情報に基づいて、前記撮像画像のズーム倍率の調整処理を行ってもよい。
【００１９】
このようにすれば、距離情報により表される距離に応じたズーム倍率の調整が可能になり、直感的な方法でズーム操作を行うこと等ができる。
【００２０】
また、本発明の一態様では、前記調整部は、前記距離情報取得部が取得した前記距離情報により表される距離が大きくなるほど、前記撮像画像のズーム倍率と前記撮影情報のサイズが連動して大きくなる調整処理を行ってもよい。
【００２１】
このようにすれば、撮像装置と撮影者との間の距離が大きくなるほど、ズーム倍率と撮影情報のサイズを連動して大きくすることが可能になる。
【００２２】
また、本発明の一態様では、前記調整部は、前記距離情報取得部が取得した前記距離情報に基づいて、前記表示部に表示される前記撮像画像のサイズの調整処理を行ってもよい。
【００２３】
このようにすれば、距離情報に基づいて表示部に対して撮像画像が占める割合を変化させることが可能になり、画像情報を見やすい形で撮影者に提供すること等ができる。
【００２４】
また、本発明の一態様では、前記表示部は、前記撮影情報として、撮影者に対して撮影に関する情報を提示する文字、数字及びアイコンのうちの少なくとも１つの情報を表示してもよい。
【００２５】
このようにすれば、撮像装置と撮影者との間の距離に応じて文字、数字及びアイコンの少なくも１つのサイズを調整できる。
【００２６】
また、本発明の一態様では、前記撮影情報の最小サイズＭは、撮影者から撮像装置までの距離情報をＴ、視力１．０を１とした視力係数をＳとした場合に、Ｍ＝０．００１５×Ｔ×Ｓの関係を満たし、前記調整部は、前記撮影情報のサイズが、前記最小サイズＭ以上になる調整処理を行ってもよい。
【００２７】
このようにすれば、撮影者の視力を考慮した上で、撮影情報の最小サイズを決定することが可能になり、より撮影者に適した形で撮影情報を表示することができる。
【００２８】
また、本発明の一態様では、前記表示部は、前記撮影情報として、複数の撮影情報を表示し、前記調整部は、前記撮影情報のサイズに応じて、前記表示部に表示される前記複数の撮影情報の数を増減する処理を行ってもよい。
【００２９】
このようにすれば、撮影情報のサイズに応じて、撮影情報の数を増減することが可能になり、被写体の画像の表示を妨げることなく、適切な数の撮影情報を提供すること等ができる。
【００３０】
また、本発明の一態様では、前記調整部は、前記複数の撮影情報のうち、撮影中において変化の少ない撮影情報から順に非表示として行く処理を行ってもよい。
【００３１】
このようにすれば、撮影中変化の少ない情報から非表示にされるため、撮影者にとって必要な情報を残すこと等が可能になる。
【００３２】
また、本発明の一態様では、前記表示部は、前記撮影情報として、撮影中は自動で変更されない第１の撮影情報と撮像装置により撮影中に自動で変更される第２の撮影情報を表示し、前記調整部は、前記第１の撮影情報を、前記第２の撮影情報よりも先に非表示にする処理を行ってもよい。
【００３３】
このようにすれば、撮影中に自動で変更されることがないような情報は優先的に非表示にされ、撮像画像により自動で変更される情報は残されることになる。よって、撮影者に対して適切な情報を提供すること等が可能になる。
【００３４】
また、本発明の一態様では、前記光学系を移動させて前記撮像素子上に結像される撮像画像を拡大又は縮小する光学ズーム制御を行う光学ズーム制御部と、前記光学系によって得られた前記撮像画像に対して、画像処理により拡大又は縮小する電子ズーム処理を行い、電子ズーム画像を生成する電子ズーム処理部と、を含み、前記表示部は、ズーム操作の開始を検出してから終了を検出するまでの間は、前記電子ズーム処理部により得られた前記電子ズーム画像を表示するとともに、前記距離情報に基づいてサイズが変更される前記撮影情報を表示してもよい。
【００３５】
このようにすれば、ズーム操作中は電子ズーム画像を表示することで、ズーム調整の速度を自由に設定できる撮像装置を実現するとともに、撮影情報のサイズを距離情報に応じて調整する撮像装置も同時に実現できる。
【００３６】
また、本発明の一態様では、前記ズーム操作の終了を検出する検出部と、前記検出部が前記ズーム操作の終了を検出したときのズーム倍率である終了ズーム倍率を取得するズーム倍率取得部と、を含み、前記光学ズーム制御部は、前記検出部が前記ズーム操作の終了を検出した後に、前記終了ズーム倍率になるように前記光学ズーム制御を行い、前記表示部は、前記光学ズーム制御部による前記光学ズーム制御が終了した後に、前記電子ズーム画像から、前記光学ズーム制御が行われた前記撮像画像に、表示画像を切り替えて表示してもよい。
【００３７】
このようにすれば、ズーム操作終了後に光学ズーム制御を行い、光学ズーム制御終了後に撮像画像を表示することが可能になる。そのため、電子ズーム画像に比べ高精細な撮像画像を表示すること等が可能になる。
【００３８】
また、本発明の一態様では、前記調整部は、前記距離情報取得部が取得した前記距離情報により表される距離が大きくなるほど、前記電子ズーム画像のズーム倍率と前記撮影情報のサイズが連動して大きくなる調整処理を行ってもよい。
【００３９】
このようにすれば、撮像装置と撮影者との間の距離が遠くなるほど、電子ズームのズーム倍率と撮影情報のサイズが連動して大きくなるように調整できる。
【図面の簡単な説明】
【００４０】
【図１】本実施形態の撮像装置の構成例。
【図２】ＯＳＤ処理の説明図。
【図３】赤外線アクティブセンサの構成例。
【図４】撮影者と撮像装置の間の距離とズーム倍率の関係の説明図。
【図５】本実施形態の処理を説明するためのフローチャート。
【図６】図６（Ａ）は撮影者と撮像装置の間の距離とズーム倍率の関係の説明図、図６（Ｂ）は画像表示領域の変化例。
【図７】図７（Ａ）は撮影情報のサイズと撮影情報の数の変化例、図７（Ｂ）は撮影情報のサイズ、撮影情報の数及び画像領域の変化例。
【図８】撮影者と撮像装置の間の距離と、ズーム倍率及び撮影情報のサイズとの関係図。
【図９】視力値入力処理を説明するためのフローチャート。
【図１０】ズーム操作中及びズーム操作終了後の電子ズームと光学ズームの動作及び表示画像の変化の説明図。
【図１１】従来の撮像装置における電子ズームと光学ズームの関係の説明図。
【図１２】本実施形態の撮像装置の他の構成例。
【図１３】本実施形態の処理を説明するための他のフローチャート。
【発明を実施するための形態】
【００４１】
以下に説明するカメラは光学的な画像情報を電気信号に変換し、電子的に記録媒体に記録する装置であって、例えばデジタルカメラ、デジタルビデオカメラがこれに含まれる。なお、撮像装置は、デジタルカメラのように携帯可能なものであっても、監視撮像装置のように固定撮像装置であっても、内視鏡や顕微鏡等のように撮像部分と操作部分が分離している撮像装置であっても良い。
【００４２】
また、以下の説明においては、光学系によって決定され撮像素子で生成される画像を撮像画像と呼び、撮像画像を元に電子ズーム処理によって得られた画像を電子ズーム画像と呼ぶことにする。そして、撮像装置の表示部に表示される画像を表示画像とする（後述する撮影情報は表示画像に含まれない）。
【００４３】
１．第１の実施形態
【００４４】
まず、本実施形態の概要について説明する。特許文献１及び特許文献２に開示されているように、撮影者と撮像装置との間の距離に応じてズーム倍率を変更する手法がある。この手法では、撮像装置を押し出すもしくは、手前に引くという直感的な動作でズーム操作を実現できる。
【００４５】
しかし、ズーム操作をするためには、撮像装置を撮影者から離す必要がある。そのため、撮像装置の表示部（例えばＬＣＤ等）との距離も遠くなってしまい、表示されている画像、特に現在の設定等を表す文字や画像の情報である撮影情報が見づらくなってしまうという問題があった。
【００４６】
そこで本出願人は、撮影者と撮像装置との間の距離が大きくなるほど、撮影情報のサイズを大きくする手法を提案している。
【００４７】
具体的には後述する図７（Ａ）のように、撮影者と撮像装置との間の距離が小さい場合（Ｗｉｄｅ）は、撮影情報のサイズも通常の大きさにしておき、距離が大きくなった場合には、撮影情報のサイズを大きくして撮影者から見やすいようにする。
【００４８】
それとともに、サイズが大きくなった撮影情報が、撮像画像の表示の妨げにならないように、表示する撮影情報の数を少なくするという処理を行ってもよい。
【００４９】
このようにすることで、ズーム操作を行うために、撮像装置を遠くに離しても、撮影情報の視認性が低くならない撮像装置を実現することが可能になる。詳細について第１の実施形態で説明する。また、第２の実施形態では、ズーム操作中は、電子ズーム処理が行われた電子ズーム画像を表示するとともに、撮影情報のサイズを変更する例について説明する。
【００５０】
以下、本発明の第１の実施例を図１〜図９を用いて説明する。
【００５１】
図１は、本発明の実施の形態に係る撮像装置の概略的構成を説明するブロック図である。撮像装置１００は、撮像部１１５と、画像処理部１３０と、Ｉ／Ｆ部１４０と、記憶部１５０と、処理部１６０と、レンズ駆動モータ（ＡＦモータ、ズームモータ）１７０と、光学ズーム制御部１８０と、表示部１９０と、ＭＩＸ処理部１９２と、モーションセンサ２００とを備えている。なお、これらの一部の構成要素を省略したり、他の構成要素を追加するなどの種々の変形実施が可能である。
【００５２】
なお、図示していないが撮像装置１００にはフラッシュ機構等一般のデジタル撮像装置に装備される機器があっても良い。
【００５３】
撮像部１１５は、撮影レンズ１１０（光学系）と、撮像素子１２０とを備えている。撮影レンズ１１０は、ＣＣＤあるいはＣＭＯＳイメージセンサで構成される撮像素子１２０の撮像面上に被写体像を形成する焦点距離可変のズームレンズである。本明細書中では、撮像素子１２０は内部にＣＤＳ、Ａ／Ｄ変換等の処理ブロックを有してデジタルの画像信号を出力可能なＣＭＯＳイメージセンサであるものとして説明をする。
【００５４】
撮像素子１２０から出力されるデジタルの画像信号は、記憶部１５０に一時的に保管される。記憶部１５０は、画像処理部１３０が画像処理を行う際のバッファメモリとしても用いられるので、書き込み・読み出しの速度が速いことが望ましく、例えばＤＲＡＭ、ＳＲＡＭ等で構成することが可能である。記憶部１５０へは、システムバスを介して撮像素子１２０、画像処理部１３０、Ｉ／Ｆ部１４０、処理部１６０、がアクセス可能に構成される。記憶部１５０は、上述した構成要素からのメモリアクセス要求を調停する機能を有する。
【００５５】
画像処理部１３０は、特定用途向けの集積回路（ＡＳＩＣ）等で構成することが可能である。この画像処理部１３０は、撮像素子１２０から出力されて記憶部１５０に一時的に保管されたデジタルの画像信号に同時化（デモザイク処理）、ホワイトバランス調整、階調・レベル補正、アンシャープマスク、シェーディング補正等の処理をしてデジタルの画像データを生成する。
【００５６】
また、画像処理部１３０は、以下に説明する３つの処理を含む処理を実行可能に構成される。すなわち、１つは、撮影時にライブビュー画を生成して表示部１９０に表示ライブビュー処理（ライブビュー画表示処理）である。もう１つは、撮像素子１２０から読み出された画像信号をもとに記録用の画像データを生成し、それを記録する記録ビュー処理（画像記録処理）である。そしてもう１つは、記録された画像データを読み出して、その画像データに基づく画像を表示部１９０で再生表示する再生ビュー処理（再生表示処理）である。
【００５７】
画像処理部１３０は、電子ズーム処理部１３２と、前処理部１３４と、画像圧縮部１３６とを備えている。なお、これらの一部の構成要素を省略したり、他の構成要素を追加するなどの種々の変形実施が可能である。
【００５８】
電子ズーム処理部１３２は画像信号の画素数を変換するための信号処理を行う。画素間の補完、間引きを行うことで電子的に画像の拡大、縮小を行い、これにより電子ズーム機能を実現する。
【００５９】
前処理部１３４は、撮像素子１２０からのデジタル画像信号を受け、ホワイトバランス補正、ガンマ補正、キズ補正等の前処理を行う。
【００６０】
画像圧縮部１３６はＪＰＥＧによる画像圧縮を行う。なお画像圧縮の方法はＪＰＥＧに限られない。画像圧縮部１３６により圧縮された画像は記憶部１５０に格納される。または、Ｉ／Ｆ部１４０を介して記憶媒体（不図示）に記録されてもよい。この記憶媒体としては様々なものを用いることが可能である。一例として、記憶媒体はフラッシュメモリで、撮像装置１００に内蔵されるものであってもよいし、撮像装置１００に対して着脱可能に構成されるものであってもよい。
【００６１】
処理部１６０は、撮像装置１００を動作させるための種々の処理を行う。特に、モーションセンサ２００からの情報を受信し、ズーム（光学ズーム及び電子ズームを含む）に関する処理を行う。
【００６２】
処理部１６０は、調整部１６５と、距離情報取得部１６６とを備えている。なお、これらの一部の構成要素を省略したり、他の構成要素を追加するなどの種々の変形実施が可能である。
【００６３】
調整部１６５は、モーションセンサ２００からの距離情報（撮影者と撮像装置との間の距離）に基づいて、撮影情報のサイズ、撮像画像のズーム倍率及び表示部１９０に表示される撮像画像のサイズの調整を行う。
【００６４】
距離情報取得部１６６は、撮影者と撮像装置との間の距離を表す距離情報を取得する。具体的には、例えばモーションセンサ（さらに具体的には例えば加速度センサ）や測距センサ（さらに具体的には例えば赤外線アクティブセンサ）を用いる。
【００６５】
レンズ駆動モータ１７０は、ＡＦモータやズームモータから構成される。ズームモータは、光学ズーム制御部１８０からの制御情報を受け、適切なズーム倍率になるように撮影レンズ１１０の位置を調整する。また、ＡＦモータは画角調整の終了後に、被写体に対して自動的にフォーカスをあわせるＡＦ（オートフォーカス）を実行する。具体的にはズームモータと同様に撮影レンズ１１０の位置を調整する。
【００６６】
光学ズーム制御部１８０は、光学ズームの倍率を調整するための制御信号を生成する。生成した制御信号は、レンズ駆動モータ１７０に出力される。
【００６７】
表示部１９０は、液晶表示素子上での画像表示を制御する。カラー液晶表示（ＬＣＤ）パネルまたは有機ＥＬ（ＯＥＬ）ディスプレイパネルなどで構成される表示素子と、ライブビュー処理を行う不図示の表示制御部とを有する。
【００６８】
なお、表示部１９０で表示する画像は、撮像素子からの画像データと撮像情報等のキャラクタをＯＳＤ（オンスクリーンディスプレイ）処理した合成画像を表示する。具体的には、ＭＩＸ処理部１９２が、撮像データとキャラクタの画像合成を行い表示部１９０で表示する。
【００６９】
ＯＳＤ処理の詳細を図２に示す。ＭＩＸ処理部１９２は、撮像素子からの画像データと、撮影情報とを受け取り、画像合成を行う。ドライバはＭＩＸ処理部１９２で生成した画像データを表示部１９０に表示できるデータに変換するものである。変換されたデータは表示部１９０で表示される。
【００７０】
次にモーションセンサ２００について説明する。
【００７１】
モーションセンサ２００は、例えば赤外線測距センサであって、赤外発光ダイオードにより投光し、ＰＳＤ(Position Sensitive Detector)で受光することにより１０ｃｍ〜８０ｃｍ程度の距離を検出し、距離に応じたアナログ電圧あるいはデジタルデータで距離値を出力するものである。図３は、モーションセンサの一例である測距センサ（赤外線アクティブセンサ）のブロック図である。
【００７２】
なお、モーションセンサは、加速度センサであっても、ジャイロセンサであっても、地磁気センサであっても、気圧、水圧等の圧力センサであっても、超音波や赤外線等のアクティブセンサであっても、GPSや携帯電話、無線ＬＡＮ、Ｂｌｕｅｔｏｏｔｈ（登録商標）、ＰＨＳ、ＲＦＩＤ（無線タグ）等無線による位置検出センサであっても、画像処理による位置検出手段であっても、上記複数の組合せであっても良い。
【００７３】
図４は、撮影者と撮像装置の間の距離とズーム倍率の関係を示した図である。モーションセンサを撮像装置に内蔵させる必要は必ずしもないが、本実施例では一例として撮像装置の背面部への内蔵タイプとする。
【００７４】
撮影者から撮像装置までの距離が短い（＝腕を縮めた）場合はＷｉｄｅ(広角）、距離が長い（＝腕を伸ばした）場合はＴｅｌｅ(望遠）に画角が変化する。詳細な動作は特許文献１に開示されている。
【００７５】
図５は第１の実施形態の処理を表すフローチャートである。
【００７６】
この処理が開始されると、まず、電源が立ち上がり、レンズはズームの初期値に設定される（Ｓ３０１）。ズームの初期値は、本実施形態では最大広角としたが、ユーザが設定したズーム値でも良い。
【００７７】
次に撮像素子１２０等が動作し、画像を取り込む（Ｓ３０２）。調整部１６５により設定されているサイズに調整された撮影情報を取得し（Ｓ３０３）、Ｓ３０２で取り込んだ画像と合成処理を行い（Ｓ３０４）、ＬＣＤ（表示部）に表示する（Ｓ３０５）。
【００７８】
次に撮像装置の、撮像素子の光軸方向への移動が検出されたか（ズーム動作が行われたか）の判定が行われる（Ｓ３０６）。移動がない場合は撮影処理（Ｓ３１０〜Ｓ３１２）に移行し、移動している場合には調整処理（Ｓ３０７〜Ｓ３０９）に移行する。
【００７９】
まず、調整処理について説明する。撮像装置の移動が検出された場合には、撮影者と撮像装置との間の距離を距離情報取得部１６６が取得する（Ｓ３０７）。取得した距離情報に基づいてズーム量及び撮影情報のサイズを算出する（Ｓ３０８）。そしてズーム調整を行ったあと（Ｓ３０９）、Ｓ３０２に戻り、新規画像の取り込み、調整後の撮影情報の取得、ＭＩＸ処理、表示と処理が続く。ここでズーム量の調整は、撮像レンズの光学的なズーム倍率、もしくは撮像素子と画像処理部によるデジタルズーム倍率を調整することで行えば良い。
【００８０】
次に撮影処理について説明する。撮像装置の移動が検出されなかった場合には、シャッターが操作されたかの判定が行われ（Ｓ３１０）、操作された場合は画像を記憶する（Ｓ３１２）。
【００８１】
そして、Ｓ３１１で画像を記憶した後、もしくはＳ３１０でシャッターが操作されなかった場合は、Ｓ３１２に移行し、電源がオフにされたかどうかの判定を行う。電源がオフにされた場合は、処理を終了し、操作されなかった場合は、再度Ｓ３０２に戻る。
【００８２】
上述したフローチャートでは説明されなかったが、撮影者と撮像装置との間の距離が変化したときに、ズーム量・撮影情報のサイズとともに、表示部に表示される撮像画像のサイズを変更してもよい。
【００８３】
図６（Ａ）〜図７は本実施形態の手法を説明する図である。
【００８４】
図６（Ａ）に示したように、以下の説明では、撮影者と撮像装置との間の距離が小さい場合をＷｉｄｅ、大きい場合をＴｅｌｅとする。
【００８５】
図６（Ｂ）はＷｉｄｅからＴｅｌｅになるに従い、画像表示領域が広くなる例である。ズームをするとともに表示部１９０における画像の表示領域を広くしている。
【００８６】
図７（Ａ）はＷｉｄｅからＴｅｌｅになるに従い、撮影情報のサイズが大きくなり、かつ撮影情報の量が少なくなる例である。ズームをするとともに、撮影情報のサイズを大きくし、その分表示する量を少なくすることで、人物の表示を妨げないようにしている。
【００８７】
図７（Ｂ）はＷｉｄｅからＴｅｌｅになるに従い、画像表示領域と画像情報のキャラクタサイズが大きくなり、かつ画像情報量が少なくなる例である。ＷｉｄｅからＴｅｌｅ１になることで図７（Ａ）と同様の処理が行われる。そしてＴｅｌｅ１よりも遠い位置であるＴｅｌｅ２になることで、さらにズームをするとともに、画像表示領域を広くし、それに伴い、撮影情報の量を少なくしている。
【００８８】
図８は、撮影者と撮像装置の間の距離と、ズーム倍率及び撮影情報のサイズの関係の例を示した図である。
【００８９】
撮影者と撮像装置との間の距離が変化すると、２０ｃｍから６０ｃｍの間で段階的にズーム倍率と撮影情報のサイズが増加していく。具体的には例えば、ズーム倍率は１倍〜４倍の間で、撮影情報のサイズは３ｍｍ〜６ｍｍの間で変化する。
【００９０】
また、撮影情報のサイズは撮影者の視力に基づいて決定されてもよい。具体的には下式（１）によって撮影情報の最小サイズを決定する。撮影情報の最小サイズＭは、撮影者と撮像装置との間の距離Ｔ、視力１．０を１とした視力係数Ｓ（撮影者が設定可能な値）を用いて、
【００９１】
Ｍ＝０．００１５×Ｔ×Ｓ  ・・・・・（１）
【００９２】
となるように設定される。例えば、撮影者の視力が１．０で（Ｓ＝１）、撮影者と撮像装置との間の距離Ｔが５００（ｍｍ）の場合は、Ｍ＝０．００１５×５００×１＝０．７５（ｍｍ）が最低のサイズになる。これは１ポイントを０．３５１４ｍｍとすると約２．１３ポイントとなる。
【００９３】
図９は、視力に基づいて撮影情報のサイズを決定する処理のフローチャートである。
【００９４】
まずユーザインタフェースの操作ボタンにおいて、視力設定が選択されたら（Ｓ４０１）、視力値を入力する（Ｓ４０２）。入力されなかった場合はＳ４０１に戻る。
【００９５】
次にＥＮＴＥＲが押されて視力値が確定されたかの判定が行われ（Ｓ４０３）、確定された場合はメモリに記憶され（Ｓ４０４）、処理を終了する。確定されなかった場合は、Ｓ４０１に戻る。
【００９６】
以上の本実施形態では、撮像装置１００は、光学系と撮像素子１２０とを含む撮像部１１５を有する。また撮像装置１００は、撮影情報を表示する表示部１９０と、撮影情報のサイズを調整する調整部１６５と、撮影者と撮像装置との間の距離を取得する距離情報取得部１６６と、を含む。そして、調整部１６５は、撮影者と撮像装置との間の距離が長くなるほど、撮影情報のサイズを大きくする。
【００９７】
ここで、撮影情報とは、撮影者に対して、例えば撮影に関する情報を提示するための文字、数字及びアイコン等のうちの少なくとも１つの情報である。
【００９８】
これにより、撮影者と撮像装置１００との間の距離を取得し、取得した距離に応じて撮影情報のサイズを調整した上で、表示部１９０に表示する撮像装置１００を実現することが可能になる。よって、撮像装置１００が撮影者から離れてしまう場合でも、撮影情報の視認性を保つことができる。これは、撮像装置１００を押し出す（腕を伸ばす）ことでズーム動作を実現するような、直感的なインターフェースを採用している撮像装置を使用する際に効果を発揮する。
【００９９】
また、距離情報取得部１６６は、モーションセンサからのセンサ情報に基づいて、撮像装置１００の移動情報を取得し、移動情報に基づいて撮影者と撮像装置との間の距離を取得してもよい。
【０１００】
これにより、距離情報取得部１６６の実現にモーションセンサを用いることが可能になる。モーションセンサとしては、具体的には加速度センサが考えられ、取得した加速度情報を２回積分することで移動情報を求める。
【０１０１】
また、距離情報取得部１６６は、測距センサからのセンサ情報に基づいて、測距距離情報を取得し、測距距離情報に基づいて撮影者と撮像装置との間の距離を取得してもよい。
【０１０２】
これにより、距離情報取得部１６６の実現に測距センサを用いることが可能になる。測距センサとしては、具体的には赤外線アクティブセンサが考えられ、アクティブセンサでは、撮影者と撮像装置との間の距離を直接（モーションセンサのように積分等の処理をしなくても）取得することができる。
【０１０３】
また、調整部１６５は、距離情報取得部１６６が取得した距離情報に基づいて、撮像画像のズーム倍率を調整する。
【０１０４】
これにより、距離情報に基づいたズームを実現することが可能になる。具体的には例えば、距離が大きくなるほどズーム倍率を大きくするようなことが考えられる。この場合撮像装置１００を持った腕を伸ばすことでズーム操作を行えるような、直感的なインターフェースを実現できる。
【０１０５】
また、調整部１６５は、距離情報取得部１６６が取得した距離情報により表される距離が大きくなるほど、撮像画像のズーム倍率と、撮影情報のサイズが連動して大きくなる調整処理を行う。
【０１０６】
これにより、撮像画像のズーム倍率と撮影情報のサイズとが連動して大きくなるため、撮影者に違和感を与えることなく、ズーム倍率及び撮影情報のサイズを変更することが可能になる。また、前述したような直感的なインターフェースを持つ撮像装置１００において、ズーム動作と同一の動作で撮影情報のサイズを変更できる。さらに撮像装置が遠くなるほど撮影情報のサイズを大きくして見やすくするという、効果的な表示方法を実現することが可能になる。
【０１０７】
また、調整部１６５は、距離情報取得部１６６が取得した距離情報に基づいて、表示部１９０に表示される撮像画像のサイズを調整してもよい。
【０１０８】
これにより、図６（Ｂ）に示すように、表示部１９０（例えばＬＣＤ）全体に対して表示画像が占める割合を大きくすること等が可能になる。よって、距離が大きくなるほど（撮影者から撮像装置が遠くなるほど）表示画像を大きくして、視認性を保つことができる。
【０１０９】
また、調整部１６５は、撮影情報の最小サイズＭをＭ＝０．００１５×Ｔ×Ｓ（ｍｍ）となるように調整してもよい。ここでＴは撮影者と撮像装置との間の距離を表し、Ｓは視力１．０を１とする視力係数である。Ｓについては撮影者が入力してもよい。
【０１１０】
これにより、撮影者の視力を考慮した上で、撮影情報のサイズを設定することが可能になる。そのため、視力が応じて、柔軟にサイズを調整し、かつ十分に見やすいサイズに設定することができる。
【０１１１】
また、撮影情報は複数表示されてもよく、その場合は、撮影情報のサイズに応じて、表示する撮影情報の数を増減させてもよい。
【０１１２】
これにより、撮影情報のサイズが大きくなったとしても、表示する数を減らすことで、表示画像の表示を妨げることがなくなる。
【０１１３】
また、調整部１６５は、複数の撮影情報のうち、撮影中において変化の少ない撮影情報から順に非表示にしてもよい。具体的には例えば、撮影中自動で変更されることのない撮影情報は、撮像装置により自動で変更されることがある撮影情報よりも先に非表示にされる。
【０１１４】
これにより、撮影情報の数を減らす場合に、撮影者にとって有益な情報を残し、重要度の低い情報から非表示にすることが可能になる。具体的には例えば、日付など、撮影中に変動することが考えにくいものは優先的に非表示にして、ＩＳＯ感度やＦ値等の頻繁に変更されるものは、できるだけ表示し続けるようにすることが考えられる。
【０１１５】
２．第２の実施形態
【０１１６】
まず、本実施形態の概要について説明する。従来のズーム調整の速度は、光学ズーム用電動モータによって決められてしまい、多くの場合一定速度であった。しかし、撮影者にとってズーム調整速度が一定であることは、必ずしも好ましいこととは言えない。
【０１１７】
例えば、かなり遠くにある被写体（撮像画像上、かなり小さい被写体）を撮像しようとしているときは、撮影者は最大望遠に近いズーム倍率に設定したいと考えるはずである。そのときは、通常の一定速度でズームが動くのではなく、高速で（つまり短時間で高倍率になるように）ズームを調整できることが望ましい。
【０１１８】
また、非常に近い被写体を撮影する、マクロ撮影の場合には、わずかにズーム倍率を変更しただけでも、撮像画像上の被写体のサイズや位置は、大きく変化してしまう。そのためマクロ撮影においては、低速で（つまり精密な調整が可能になるように）ズームを調整できることが望ましい。
【０１１９】
本実施形態は、ズーム操作を行っている間は、電子ズーム処理を行い、ＬＣＤ等の表示部には電子ズーム画像を表示し、光学ズーム制御は行わない。そしてズーム操作が終了した後に、光学ズームのズーム倍率を、電子ズームのズーム倍率に追随させるような光学ズーム制御を行う点に特徴がある。
【０１２０】
具体的なイメージを図１０に示す。ここでは人を被写体として撮影を行う場合を考える。なお、横軸ｔは時間を表す。
【０１２１】
まずズーム操作が開始された時点では、撮像画像Ｂ１と電子ズーム画像Ａ１は同じものである（電子ズームの初期値は１倍であるとする）。ズーム操作が行われている間は、光学ズーム制御は行われず、電子ズーム処理が行われる。この間、表示部に表示される表示画像は電子ズーム画像である。
【０１２２】
そして、ズーム操作が終了すると、光学ズームが電子ズームに追随を開始する。このとき表示されているのは電子ズーム処理が行われた電子ズーム画像Ａ２であり、撮像画像Ｂ２は、ズームは行われておらず、Ｂ１と同じものである。
【０１２３】
光学ズームの追随が終了すると、表示画像が電子ズーム画像Ａ３（Ａ２と同じもの）から撮像画像Ｂ３に切り替えられる。以降、ズーム操作が行われるまでは撮像画像が表示画像となる。
【０１２４】
なお、従来の一般的な撮像装置（デジタルカメラ）では、電子ズームと光学ズームの切り分けは図１１に示すようなものである。図１１のインジケータはズーム倍率を表すものであり、ある一定の倍率までは光学ズームを行い、それ以上の倍率では電子ズームを用いる。つまり、電子ズームと光学ズームの切り分けはズーム倍率によって決定されるものであり、本実施形態のようにズーム操作中とそれ以外で使い分けるようなことはなかった。
【０１２５】
本実施形態の手法を用いることで、ズーム操作中にＬＣＤ等に表示される画像は電子ズーム画像となるため、光学ズーム用電動モータに依存することなく、ズーム調整の速度を自由に設定することが可能になる。
【０１２６】
このような処理と、第１の実施形態とを組み合わせることで、ズーム操作中は電子ズーム画像を表示しつつ、撮影情報のサイズを変更する撮像装置を実現できる。これにより、ともにデジタルの画像である、デジタルズーム画像と撮影情報とを合成すればよくなる。そのため、光学系からの画像とデジタルの撮影情報とを合成する処理に比べて、画像同士の親和性が高くなり、処理が容易になるという利点がある。
【０１２７】
図１２は本実施形態に係る撮像装置１００の概略的構成を説明するブロック図である。撮像装置１００は、撮像部１１５と、画像処理部１３０と、Ｉ／Ｆ部１４０と、記憶部１５０と、処理部１６０と、レンズ駆動モータ（ＡＦモータ、ズームモータ）１７０と、光学ズーム制御部１８０と、表示部１９０と、モーションセンサ２００とを備えている。なお、これらの一部の構成要素を省略したり、他の構成要素を追加するなどの種々の変形実施が可能である。処理部１６０以外の構成は第１の実施形態と同様であるため、詳細な説明は省略する。
【０１２８】
処理部１６０は、検出部１６２と、ズーム倍率取得部１６４と、調整部１６５と、距離情報取得部１６６とを含む。調整部１６５と距離情報取得部１６６については第１の実施形態と同様である。
【０１２９】
検出部１６２は、ズーム操作の終了を検出する。本実施形態においては、ズーム操作の終了が表示部１９０に表示する画像の切り替えのトリガーとして用いられる。
【０１３０】
ズーム倍率取得部１６４は、検出部１６２がズーム操作の終了を検出した際のズーム倍率である、終了ズーム倍率を取得する。取得した終了ズーム倍率の情報は光学ズーム制御部１８０に送信される。
【０１３１】
光学ズーム制御部１８０は、ズーム倍率取得部１６４からの終了ズーム倍率の情報を受信し、光学ズームの倍率を終了ズーム倍率に一致させるような制御信号を生成する。生成した制御信号は、レンズ駆動モータ１７０に送信される。
【０１３２】
モーションセンサ２００に関しては第１の実施形態と同様である。
【０１３３】
次に、本実施形態の処理の詳細について図１３を用いて説明する。
【０１３４】
Ｓ５０１〜Ｓ５０８及びＳ５１０〜Ｓ５１２の処理は第１の実施形態のＳ３０１〜Ｓ３０８及びＳ３１０〜Ｓ３１２と同様であるため、詳細な説明は省略する。
【０１３５】
Ｓ５０８でズーム量及び撮影情報のサイズを算出した後、Ｓ５０９で電子ズーム処理が行われる。第１の実施形態ではＳ３０９のズーム調整は電子ズームと光学ズームのどちらでもよかったが、本実施形態のＳ５０９は必ず電子ズームとなる。
【０１３６】
次にサイズが調整された撮影情報を取得し（Ｓ５１３）、電子ズーム画像とＭＩＸ処理を行い（Ｓ５１４）、ＬＣＤに表示される（Ｓ５１５）。そしてズーム倍率取得部１６４によりズーム位置を記憶し（Ｓ５１６）、撮像装置の移動が終了したか（ズーム操作が終了したか）の判定を検出部１６２により行う（Ｓ５１７）。移動が終了していない場合は、Ｓ５０７に戻り、再度距離の測定から処理が行われる。
【０１３７】
移動が終了した場合には、光学ズームのズーム倍率を電子ズームに追随させ（Ｓ５１８）、Ｓ５０２に戻る。
【０１３８】
第１の実施形態の処理を説明するフローチャートである図５と、図１３の違いを示しながら、第２の実施形態の特徴についてさらに詳しく説明する。
【０１３９】
図１３の第２の実施形態の特徴はズーム操作中の処理にある。そのため、撮影処理（Ｓ３１０〜Ｓ３１２及びＳ５１０〜Ｓ５１２）はここでは考慮しない。つまり、Ｓ３０６及びＳ５０６の判定においてはＹｅｓが選択されるケースを考えればよい。
【０１４０】
このとき、図５では、Ｓ３０２〜Ｓ３０９の処理を繰り返すことになる。それに対して、図１３ではＳ５１７の判定でＮｏが選択されるため、Ｓ５０７〜Ｓ５１６の処理を繰り返す。ここで、Ｓ３０７〜Ｓ３０９とＳ５０７〜Ｓ５０９を、また、Ｓ３０３〜Ｓ３０５とＳ５１３〜Ｓ５１５とを対応づけると、その違いが明確になる。
【０１４１】
つまり、違いは２点有り、１点は図１３の第２の実施形態ではループ中に新たな画像を読み込まない点、もう１点は、図５の第１の実施形態がズーム調整（光学・電子問わない）であるのに対し、第２の実施形態は電子ズームに限定されている点である。
【０１４２】
この点を説明したのが、前述した図１０である。ズーム操作の開始からズーム操作の終了までの間の処理に対応し、図１０から明らかなように、この間は電子ズーム処理のみが行われ、光学ズーム制御は行われない。そして表示されているのは常に電子ズーム画像（Ａ１→Ａ２）である。このようにすることで、ズーム操作中、つまりは撮影情報のサイズや数が変化する間は、電子ズーム画像のみを表示すればよいことになる。そのため、デジタル処理された電子ズーム画像と、同じくデジタルである撮影情報とを合成すればよく、処理が容易になる。
【０１４３】
そして、図１３においては、ズーム操作が終了したとき（ループから抜けたとき）にも特徴がある。これはＳ５１７において、Ｙｅｓと判定された場合である。
【０１４４】
Ｓ５１８での処理は、Ｓ５１６で記憶しておいたズーム位置に光学ズームを追随させるというものである。これは図１０においては、Ｂ２→Ｂ３に対応する。そしてＳ５０２に戻り、撮像素子から画像を取り込む（撮像画像を取り込む）ため表示画像がＡ３からＢ３に切り替えられる。
【０１４５】
これにより、ズーム操作終了後は電子ズーム画像から撮像画像へ、表示が切り替えられることになり、電子ズーム画像に比べて高精細な画像を表示・撮影することができる。
【０１４６】
以上の本実施形態では、撮像装置１００は、光学ズーム制御部１８０と電子ズーム処理部１３２を含む。そして、ズーム操作の開始から終了までの間は、電子ズーム画像を表示するとともに、距離情報取得部１６６の取得した距離情報に基づいてサイズが調整された撮影情報を表示する。
【０１４７】
これにより、ズーム調整の速度を自由に設定できる撮像装置を実現した上で、撮影情報のサイズを距離情報に応じて調整することが可能になる。この処理は、デジタル画像である電子ズーム画像と、同じくデジタルの情報である撮影情報を合成することで実現でき、デジタルの情報同士の合成のため容易に処理することが可能である。
【０１４８】
また、撮像装置１００は、検出部１６２とズーム倍率取得部１６４を含んでもよい。検出部１６２はズーム操作の終了を検出し、ズーム倍率取得部１６４はズーム操作終了時のズーム倍率である終了ズーム倍率を取得する。そして、光学ズーム制御部１８０は、終了ズーム倍率になるように光学ズーム制御を行い、その後、電子ズーム画像から光学ズーム制御が行われた撮像画像に、表示画像を切り替える。
【０１４９】
これにより、ズーム調整の速度を自由に設定できる撮像装置を実現した上で、ズーム操作終了時には、高精細の画像（光学ズーム制御された撮像画像）を表示画像とすることが可能になる。
【０１５０】
また、調整部は、距離情報取得部１６６が取得した距離情報により表される距離が大きくなるほど、電子ズーム画像のズーム倍率と、撮影情報のサイズとが連動して大きくなるように調整を行ってもよい。
【０１５１】
これにより、電子ズーム画像のズーム倍率と撮影情報のサイズとが連動して大きくなるため、撮影者に違和感を与えることなく、ズーム倍率及び撮影情報のサイズを変更することが可能になる。また、前述したような直感的なインターフェースを持つ撮像装置１００において、ズーム動作と同一の動作で撮影情報のサイズを変更できる。さらに撮像装置が遠くなるほど撮影情報のサイズを大きくして見やすくするという、効果的な表示方法を実現することが可能になる。
【０１５２】
以上、本発明を適用した２つの実施形態１〜２及びその変形例について説明したが、本発明は、各実施形態１〜２やその変形例そのままに限定されるものではなく、実施段階では、発明の要旨を逸脱しない範囲内で構成要素を変形して具体化することができる。また、上記した各実施形態１〜２や変形例に開示されている複数の構成要素を適宜組み合わせることによって、種々の発明を形成することができる。例えば、各実施形態１〜２や変形例に記載した全構成要素からいくつかの構成要素を削除してもよい。さらに、異なる実施形態や変形例で説明した構成要素を適宜組み合わせてもよい。このように、発明の主旨を逸脱しない範囲内において種々の変形や応用が可能である。
【０１５３】
また、明細書又は図面において、少なくとも一度、より広義または同義な異なる用語（例えば、ズーム調整の速度等）と共に記載された用語（例えば、拡縮率等）は、明細書又は図面のいかなる箇所においても、その異なる用語に置き換えることができる。
【符号の説明】
【０１５４】
１００  撮像装置、１１０  撮影レンズ、１１５  撮像部、１２０  撮像素子、
１３０  画像処理部、１３２  電子ズーム処理部、１３４  前処理部、
１３６  画像圧縮部、１４０  Ｉ／Ｆ部、１５０  記憶部、１６０  処理部、
１６２  検出部、１６４  ズーム倍率取得部、１６５  調整部、
１６６  距離情報取得部、１７０  レンズ駆動モータ、１８０  光学ズーム制御部、
１９０  表示部、１９２  ＭＩＸ処理部、２００  モーションセンサ
【図１】
2011166496.tif 000003
【図２】
2011166496.tif 000004
【図３】
2011166496.tif 000005
【図５】
2011166496.tif 000006
【図７】
2011166496.tif 000007
【図８】
2011166496.tif 000008
【図９】
2011166496.tif 000009
【図１０】
2011166496.tif 000010
【図１１】
2011166496.tif 000011
【図１２】
2011166496.tif 000012
【図１３】
2011166496.tif 000013
【図４】
2011166496.tif 000014
【図６】
2011166496.tif 000015